(57)【要約】【課題】ユーザーが特に意識することなく安心して着信履歴を使った発信ができる電話端末を提供することである。【解決手段】着信報知時間（回数）を測定（カウント）する手段と、前記着信報知時間（回数）と設定時間（回数）とを比較する手段と、前記着信報知時間（回数）が前記設定時間（回数）以内である着信の発信者番号を記憶する手段と、前記発信者番号への発信操作が行われた場合、発信者番号を非通知に設定して発信する手段とを具備した。また、着信報知時間（回数）を測定（カウント）する手段と、前記着信報知時間（回数）と着信の発信者番号を記憶する手段と、前記着信報知時間（回数）と設定時間（回数）とを比較する手段と、前記発信者番号への発信操作が行われた場合、前記着信報知時間（回数）が前記設定時間（回数）以内である着信に対して発信者番号を非通知に設定して発信する手段とを具備した。【選択図】  図１
2004297463.tif 000002
【特許請求の範囲】
【請求項１】
着信報知時間を測定する手段と、
前記着信報知時間と設定時間とを比較する手段と、
前記着信報知時間が前記設定時間以内である着信の発信者番号を記憶する手段と、
前記発信者番号への発信操作が行われた場合、発信者番号を非通知に設定して発信する手段とを具備したことを特徴とする電話端末。
【請求項２】
着信報知時間を測定する手段と、
前記着信報知時間と設定時間とを比較する手段と、
前記着信報知時間が前記設定時間以内である着信の発信者番号を電話番号登録メモリから検索し、該発信者番号が電話番号登録メモリから検索されなかった場合、該発信者番号を記憶する手段と、
前記発信者番号への発信操作が行われた場合、発信者番号を非通知に設定して発信する手段とを具備したことを特徴とする電話端末。
【請求項３】
請求項１または請求項２に記載の電話端末において、前記発信者番号への発信操作が行われた場合、発信前にユーザーに対して警告メッセージを通知する手段とを具備したことを特徴とする電話端末。
【請求項４】
請求項１または請求項２に記載の電話端末において、前記発信者番号を記憶した旨を警告表示する手段を具備したことを特徴とする電話端末。
【請求項５】
着信報知回数をカウントする手段と、
前記着信報知回数と設定回数とを比較する手段と、
前記着信報知回数が前記設定回数以内である着信の発信者番号を記憶する手段と、
前記発信者番号への発信操作が行われた場合、発信者番号を非通知に設定して発信する手段とを具備したことを特徴とする電話端末。
【請求項６】
着信報知回数をカウントする手段と、
前記着信報知回数と設定回数とを比較する手段と、
前記着信報知回数が前記設定回数以内である着信の発信者番号を電話番号登録メモリから検索し、該発信者番号が電話番号登録メモリから検索されなかった場合、該発信者番号を記憶する手段と、
前記発信者番号への発信操作が行われた場合、発信者番号を非通知に設定して発信する手段とを具備したことを特徴とする電話端末。
【請求項７】
請求項５または請求項６に記載の電話端末において、前記発信者番号への発信操作が行われた場合、発信前にユーザーに対して警告メッセージを通知する手段とを具備したことを特徴とする電話端末。
【請求項８】
請求項５たは請求項６に記載の電話端末において、前記発信者番号を記憶した旨を警告表示する手段を具備したことを特徴とする電話端末。
【請求項９】
着信報知時間を測定する手段と、
前記着信報知時間と着信の発信者番号を記憶する手段と、
前記着信報知時間と設定時間とを比較する手段と、
前記発信者番号への発信操作が行われた場合、前記着信報知時間が前記設定時間以内である着信に対して発信者番号を非通知に設定して発信する手段とを具備したことを特徴とする電話端末。
【請求項１０】
着信報知時間を測定する手段と、
着信の発信者番号を電話番号登録メモリから検索し、該発信者番号が電話番号登録メモリから検索されなかった場合、該発信者番号と共に前記着信報知時間を記憶する手段と、
前記着信報知時間と設定時間とを比較する手段と、
前記発信者番号への発信操作が行われた場合、前記着信報知時間が前記設定時間以内である着信に対して発信者番号を非通知に設定して発信する手段とを具備したことを特徴とする電話端末。
【請求項１１】
請求項９または請求項１０に記載の電話端末において、前記着信報知時間が前記設定時間以内である着信に対して発信操作が行われた場合、発信前にユーザーに対して警告メッセージを通知する手段とを具備したことを特徴とする電話端末。
【請求項１２】
請求項１０に記載の電話端末において、前記発信者番号と共に前記着信報知時間を記憶した場合、該記憶した旨を警告表示する手段を具備したことを特徴とする電話端末。
【請求項１３】
着信報知回数をカウントする手段と、
前記着信報知回数と着信の発信者番号を記憶する手段と、
前記着信報知回数と設定回数とを比較する手段と、
前記発信者番号への発信操作が行われた場合、前記着信報知回数が前記設定回数以内である着信に対して発信者番号を非通知に設定して発信する手段とを具備したことを特徴とする電話端末。
【請求項１４】
着信報知回数をカウントする手段と、
着信の発信者番号を電話番号登録メモリから検索し、該発信者番号が電話番号登録メモリから検索されなかった場合、該発信者番号と共に前記着信報知回数を記憶する手段と、
前記着信報知回数と設定回数とを比較する手段と、
前記発信者番号への発信操作が行われた場合、前記着信報知回数が前記設定回数以内である着信に対して発信者番号を非通知に設定して発信する手段とを具備したことを特徴とする電話端末。
【請求項１５】
請求項１３または請求項１４に記載の電話端末において、前記着信報知時間が前記設定時間以内である着信に対して発信操作が行われた場合、発信前にユーザーに対して警告メッセージを通知する手段とを具備したことを特徴とする電話端末。
【請求項１６】
請求項１４に記載の電話端末において、前記発信者番号と共に前記着信報知回数を記憶した場合、該記憶した旨を警告表示する手段を具備したことを特徴とする電話端末。
【発明の詳細な説明】
【０００１】
【発明の属する技術分野】本発明は、着信履歴を使って発信できる電話端末に関するものである。
【０００２】
【従来の技術】最近、いわゆる「ワン切り詐欺」という犯罪が増加している。これは、着信履歴機能を利用したもので、ごく短い発信を無差別に行い、ユーザーの着信履歴に電話番号を残しておく。ユーザーがその電話番号に対して電話をかけ直すと、有料ダイヤルにつながり、法外な料金を請求されるというものである。
【０００３】
新しいタイプの犯罪のため、特にこれに対応する機能はみられないが、一般的に、着信拒否電話番号を登録し、迷惑電話などを着信しないといった手段がある（特許文献１及び特許文献２）。
【０００４】
しかし、特定の番号しか拒否できないため、この手の犯罪に対しては有効性が大きく制限されると予想される。
【０００５】
〔特許文献１〕特開平２−１１１１４６号公報
〔特許文献２〕特開平２−１３４９５０号公報
【０００６】
【発明が解決しようとする課題】本発明は、上記従来技術の課題に鑑みて、ユーザーが特に意識することなく安心して着信履歴を使った発信ができる電話端末を提供することを課題とする。
【０００７】
【課題を解決するための手段】上記従来技術の課題を解決するために、請求項１の発明は、着信報知時間を測定する手段と、前記着信報知時間と設定時間とを比較する手段と、前記着信報知時間が前記設定時間以内である着信の発信者番号を記憶する手段と、前記発信者番号への発信操作が行われた場合、発信者番号を非通知に設定して発信する手段とを具備したことを特徴とする電話端末とした。
【０００８】
この構成によれば、着信報知時間が設定時間以内の発信者番号の場合、発信の際には発信者番号を非通知に設定して発信がされるため、発信によってユーザーの電話番号が通知されない。
【０００９】
また、請求項２の発明は、着信報知時間を測定する手段と、前記着信報知時間と設定時間とを比較する手段と、前記着信報知時間が前記設定時間以内である着信の発信者番号を電話番号登録メモリから検索し、該発信者番号が電話番号登録メモリから検索されなかった場合、該発信者番号を記憶する手段と、前記発信者番号への発信操作が行われた場合、発信者番号を非通知に設定して発信する手段とを具備したことを特徴とする電話端末とした。
【００１０】
この構成によれば、着信報知時間が設定時間以内でかつ電話番号登録メモリに登録されていない発信者番号の場合、発信の際には発信者番号を非通知に設定して発信がされるため、発信によってユーザーの電話番号が通知されない。
【００１１】
また、請求項３の発明は、前記請求項１または請求項２に記載の電話端末において、前記発信者番号への発信操作が行われた場合、発信前にユーザーに対して警告メッセージを通知する手段を具備したことを特徴とする電話端末とした。
【００１２】
この構成によって、着信報知時間が設定時間以内の発信者番号の場合、または着信報知時間が設定時間以内でかつ電話番号登録メモリに登録されていない発信者番号の場合、発信前にユーザーに対して警告メッセージが通知される。
【００１３】
また、請求項４の発明は、前記請求項１または請求項２に記載の電話端末において、前記発信者番号を記憶した旨を警告表示する手段を具備したことを特徴とする電話端末とした。
【００１４】
この構成によって、着信報知時間が設定時間以内の発信者番号の場合、または着信報知時間が設定時間以内でかつ電話番号登録メモリに登録されていない発信者番号の場合、そのような発信者番号を記憶した旨がユーザーに対して警告表示される。
【００１５】
また、請求項５の発明は、着信報知回数をカウントする手段と、前記着信報知回数と設定回数とを比較する手段と、前記着信報知回数が前記設定回数以内である着信の発信者番号を記憶する手段と、前記発信者番号への発信操作が行われた場合、発信者番号を非通知に設定して発信する手段とを具備したことを特徴とする電話端末とした。
【００１６】
この構成によれば、着信報知回数が設定回数以内の発信者番号の場合、発信の際には発信者番号を非通知に設定して発信がされるため、発信によってユーザーの電話番号が通知されない。
【００１７】
また、請求項６の発明は、着信報知回数をカウントする手段と、前記着信報知回数と設定回数とを比較する手段と、前記着信報知回数が前記設定回数以内である着信の発信者番号を電話番号登録メモリから検索し、該発信者番号が電話番号登録メモリから検索されなかった場合、該発信者番号を記憶する手段と、前記発信者番号への発信操作が行われた場合、発信者番号を非通知に設定して発信する手段とを具備したことを特徴とする電話端末とした。
【００１８】
この構成によれば、着信報知回数が設定回数以内でかつ電話番号登録メモリに登録されていない発信者番号の場合、発信の際には発信者番号を非通知に設定して発信がされるため、発信によってユーザーの電話番号が通知されない。
【００１９】
また、請求項７の発明は、前記請求項５または請求項６に記載の電話端末において、前記発信者番号への発信操作が行われた場合、発信前にユーザーに対して警告メッセージを通知する手段とを具備したことを特徴とする電話端末とした。
【００２０】
この構成によって、着信報知回数が設定回数以内の発信者番号の場合、または着信報知回数が設定回数以内でかつ電話番号登録メモリに登録されていない発信者番号の場合、発信前にユーザーに対して警告メッセージが通知される。
【００２１】
また、請求項８の発明は、前記請求項５たは請求項６に記載の電話端末において、前記発信者番号を記憶した旨を警告表示する手段を具備したことを特徴とする電話端末とした。
【００２２】
この構成によって、着信報知回数が設定回数以内の発信者番号の場合、または着信報知回数が設定回数以内でかつ電話番号登録メモリに登録されていない発信者番号の場合、そのような発信者番号を記憶した旨がユーザーに対して警告表示される。
【００２３】
また、請求項９の発明は、着信報知時間を測定する手段と、前記着信報知時間と着信の発信者番号を記憶する手段と、前記着信報知時間と設定時間とを比較する手段と、前記発信者番号への発信操作が行われた場合、前記着信報知時間が前記設定時間以内である着信に対して発信者番号を非通知に設定して発信する手段とを具備したことを特徴とする電話端末とした。
【００２４】
この構成によれば、着信報知時間が設定時間以内の発信者番号の場合、発信の際には発信者番号を非通知に設定して発信がされるため、発信によってユーザーの電話番号が通知されない。
【００２５】
また、請求項１０の発明は、着信報知時間を測定する手段と、着信の発信者番号を電話番号登録メモリから検索し、該発信者番号が電話番号登録メモリから検索されなかった場合、該発信者番号と共に前記着信報知時間を記憶する手段と、前記着信報知時間と設定時間とを比較する手段と、前記発信者番号への発信操作が行われた場合、前記着信報知時間が前記設定時間以内である着信に対して発信者番号を非通知に設定して発信する手段とを具備したことを特徴とする電話端末とした。
【００２６】
この構成によれば、着信報知時間が設定時間以内でかつ電話番号登録メモリに登録されていない発信者番号の場合、発信の際には発信者番号を非通知に設定して発信がされるため、発信によってユーザーの電話番号が通知されない。
【００２７】
また、請求項１１の発明は、請求項９または請求項１０に記載の電話端末において、前記着信報知時間が前記設定時間以内である着信に対して発信操作が行われた場合、発信前にユーザーに対して警告メッセージを通知する手段とを具備したことを特徴とする電話端末とした。
【００２８】
この構成によって、着信報知時間が設定時間以内の発信者番号の場合、または着信報知時間が設定時間以内でかつ電話番号登録メモリに登録されていない発信者番号の場合、発信前にユーザーに対して警告メッセージが通知される。
【００２９】
また、請求項１２の発明は、請求項１０に記載の電話端末において、前記発信者番号と共に前記着信報知時間を記憶した場合、該記憶した旨を警告表示する手段を具備したことを特徴とする電話端末とした。
【００３０】
この構成によって、着信報知時間が設定時間以内でかつ電話番号登録メモリに登録されていない発信者番号の場合、そのような発信者番号を記憶した旨がユーザーに対して警告表示される。
【００３１】
また、請求項１３の発明は、着信報知回数をカウントする手段と、前記着信報知回数と着信の発信者番号を記憶する手段と、前記着信報知回数と設定回数とを比較する手段と、前記発信者番号への発信操作が行われた場合、前記着信報知回数が前記設定回数以内である着信に対して発信者番号を非通知に設定して発信する手段とを具備したことを特徴とする電話端末とした。
【００３２】
この構成によれば、着信報知回数が設定回数以内の発信者番号の場合、発信の際には発信者番号を非通知に設定して発信がされるため、発信によってユーザーの電話番号が通知されない。
【００３３】
また、請求項１４の発明は、着信報知回数をカウントする手段と、着信の発信者番号を電話番号登録メモリから検索し、該発信者番号が電話番号登録メモリから検索されなかった場合、該発信者番号と共に前記着信報知回数を記憶する手段と、前記着信報知回数と設定回数とを比較する手段と、前記発信者番号への発信操作が行われた場合、前記着信報知回数が前記設定回数以内である着信に対して発信者番号を非通知に設定して発信する手段とを具備したことを特徴とする電話端末とした。
【００３４】
この構成によれば、着信報知回数が設定回数以内でかつ電話番号登録メモリに登録されていない発信者番号の場合、発信の際には発信者番号を非通知に設定して発信がされるため、発信によってユーザーの電話番号が通知されない。
【００３５】
また、請求項１５の発明は、請求項１３または請求項１４に記載の電話端末において、前記着信報知時間が前記設定時間以内である着信に対して発信操作が行われた場合、発信前にユーザーに対して警告メッセージを通知する手段とを具備したことを特徴とする電話端末とした。
【００３６】
この構成によって、着信報知回数が設定回数以内の発信者番号の場合、または着信報知回数が設定回数以内でかつ電話番号登録メモリに登録されていない発信者番号の場合、発信前にユーザーに対して警告メッセージが通知される。
【００３７】
また、請求項１６の発明は、請求項１４に記載の電話端末において、前記発信者番号と共に前記着信報知回数を記憶した場合、該記憶した旨を警告表示する手段を具備したことを特徴とする電話端末とした。
【００３８】
この構成によって、着信報知回数が設定回数以内でかつ電話番号登録メモリに登録されていない発信者番号の場合、そのような発信者番号を記憶した旨がユーザーに対して警告表示される。
【００３９】
【発明の実施の形態】次に添付図面を参照して、本発明による電話端末を携帯電話機に適用したときの実施の形態について詳細に説明する。図１は本発明の実施の形態である携帯電話機の機能ブロック図、図２は本発明の実施の形態である携帯電話機の着信時の処理フローチャート、図３は本発明の実施の形態である携帯電話機の発信時の処理フローチャートである。
【００４０】
図１に図示するように、本発明の実施の形態である携帯電話機はアンテナ１０１、無線部１０３、通話路制御部１０５、マイク１０７、通話用のスピーカ１０９、呼制御及び主制御部１１１、メモリ１１３、表示部（以下、ＬＣＤと称する）１１５、及びキー操作部１１７を具備する。なお、着信の報知のために、スピーカ１０９とは別にリンガや着信メロディー用のスピーカ（図示せず）や振動によって報知するバイブレータ（図示せず）が備わっている。
【００４１】
キー操作部１１７には、複数の操作キーが備わっている。その中には「発信キー」が有り、発信専用に設けられた操作キー、さらに操作ガイドに対応し発信操作にも使用する兼用の操作キーがある。兼用のキーの代表例は、携帯端末の正面や側面等に設けられたジョグキー、あるいは携帯端末の正面に上方向キー、下方向キー、左方向キー、右方向キーといったこれら４個の操作キーの中央に設けられた決定キー（操作ガイドにおける選択肢の中から選択するものを決定するときに操作する操作キー）がある。また、キー操作部１１７としては、機械式の押ボタンスイッチのみでなく、ＬＣＤ１１５にタッチ操作式の液晶パネル等を用いて表示画面にテンキー、発信キー等の各種操作キーを表示し、表示画面の各種操作キーに触れて操作する形式のものであってもよい。
【００４２】
アンテナ１０１は基地局と交信するアンテナである。無線部１０３はアンテナ１０１の送／受切替用スイッチを有し、アンテナ１０１で受信された受信信号は、スイッチやフィルタ（いずれも図示せず）を通り通話路制御部１０５で増幅され、周波数変換される。増幅された受信信号は復調され、復調された受信信号はフレーム単位に処理がされ、通話では、音声コーデック（図示せず）でデコードされてスピーカ１０９から音声として出力される。マイク１０７から出力された音声信号は音声コーデックでコード化されフレーム単位に処理され、変調される。変調された送信信号は通話路制御部１０５で増幅され、出力周波数に変換後、増幅されて無線部１０３及びアンテナ１０１を介して出力される。
【００４３】
また、携帯電話機は、アンテナ１０１を通して基地局とコントロールチャネルを介して交信し自分の居場所（サービスエリア）をシステムに知らせる等、制御情報を送受信している。呼制御及び主制御部１１１は無線部１０３、通話路制御部１０５、メモリ１１３他の制御を行い、受信した制御情報やキー操作部１１７からの入力信号により端末全体を制御する。着信音はアンプを介し着信報知用のスピーカから出力される。メモリ１１３には端末の各機能を実行するためのプログラム及び電話帳や、ダイヤルした電話番号の発信履歴のほか、本発明の特徴である着信選別履歴機能を実行するプログラム及び着信した発信者番号の着信履歴のための記憶エリアが設けられている。
【００４４】
＜第１の実施の形態＞本発明の第１の実施の形態である携帯電話機は、バイブレータの振動及び／又はリンガの着信音鳴動による着信報知時間（以下、単に「着信報知時間」と称する）を測定し、設定時間以内の着信は通常とは異なる着信履歴の表示を行う（通常とは別の色で電話番号を表示する、電話番号は表示せずに着信があったことのみを記憶する、など）。
【００４５】
図２は本発明の第１の実施の形態である携帯電話機の着信履歴の記憶に関する処理フローチャートである。同図に示すように、他者からの着信があると着信選別履歴機能がＯＮに設定されているか否か確認する（Ｓ２００）。その結果、着信選別履歴機能がＯＦＦに設定されていれば処理を終了し、従来通りの着信履歴機能による着信時の処理を開始する。Ｓ２００の結果、着信選別履歴機能がＯＮに設定されていれば着信報知時間の測定を開始し（Ｓ２０１）、応答の有無を監視する（Ｓ２０３）。この監視の間、着信の呼設定情報に含まれている発信者番号をＬＣＤ１１５に表示している。Ｓ２０３の結果、応答が確認された場合には従来と同様に着信履歴に記憶する（Ｓ２０７）。
【００４６】
応答を確認しない場合には、着信報知が終了か継続かを監視する（Ｓ２０５）。着信報知が継続している間は、Ｓ２０３とＳ２０５の処理を繰り返す。
【００４７】
無応答のまま着信が終了した場合、着信報知時間の計測を終了する（Ｓ２０９）。次に、終了までの着信報知時間と設定時間（着信履歴記録対象とする最低時間）と比較し（Ｓ２１１）、設定時間以内であった場合には受信した発信者番号が端末内の電話帳に記憶されているか否かを確認する（Ｓ２１３）。その結果、電話帳に記憶されていなかった場合には不審な着信であるので、着信報知時間が短かったことを示す所定の識別情報と共に着信の発信者番号を「不審な着信」として着信履歴の専用エリアに記憶し、ＬＣＤ１１５に「不審な着信」を記憶した旨の警告表示をする（Ｓ２１７）。発信者番号が端末内の電話帳に記憶されている場合は、不在時に着信があったことを示す所定の識別情報と共に発信者番号を「不在着信」として発信者番号を着信履歴の専用エリアに記憶する（Ｓ２１５）。
【００４８】
そして、その後、ユーザーが着信履歴のＬＣＤ１１５への表示機能を実行した際に、着信報知時間が短かった「不審な着信」の記憶について通常の着信（応答した着信）及び「不在着信」とは異なる着信履歴表示を行う（例えば、別の色で電話番号を表示、または着信があったことのみを表示して電話番号を表示しない等）ようにしてもよい。
【００４９】
図３は本発明の第１の実施の形態である携帯電話機の発信時の処理フローチャートである。着信履歴の表示機能が実行されＬＣＤ１１５に表示された着信履歴に対し「発信キー」を１回押すことによる発信操作が行われると（Ｓ３０１）、その着信履歴の電話番号が前記の「不審な着信」であるかどうかを所定の識別情報に基づき判断する（Ｓ３０３）。その結果、「不審な着信」でなかった場合には発信を開始して（Ｓ３０９）、処理を終了する。なお、この端末は、デフォルト設定として「番号通知許可」及び「番号非通知」のうち「番号通知許可」に設定されており、Ｓ３０９での発信の場合は、呼設定に「番号通知許可」情報が設定された発信がされるので、発信相手にはユーザーの電話番号が通知される。
【００５０】
Ｓ３０３の結果、「不審な着信」であった場合には、発信の前にユーザーに対して「この着信は設定時間以内に切断されました。発信しますか？」などの警告メッセージをＬＣＤ１１５に表示する（Ｓ３０５）。続いて、ＬＣＤ１１５に「１８４発信」「発信しない」といった選択肢を表示し、ユーザーは当該表示にしたがってキー操作により選択する（Ｓ３０７）。
【００５１】
Ｓ３０７で「１８４発信」が選択された場合には１８４発信（番号非通知発信）を行って（Ｓ３１１）、処理を終了する。したがって、「１８４」発信が選択された場合は、呼設定に「番号非通知」情報を設定して発信がされるので、発信相手端末にはユーザーの電話番号が通知されない。
【００５２】
一方、Ｓ３０７で「発信しない」が選択された場合には、続けて当該着信履歴を消去するか否かの選択肢を表示する（Ｓ３１３）。その結果、「消去する」が選択された場合には当該着信履歴を消去する（Ｓ３１５）。「消去しない」が選択された場合にはそのまま処理を終了する。
【００５３】
＜第２の実施の形態＞
本発明の第２の実施の形態である携帯電話機は、バイブレータの振動及び／又はリンガの着信音鳴動による着信報知回数（以下、単に「着信報知回数」と称する）をカウントし、設定回数以下の着信は、通常とは異なった着信履歴の表示を行う（通常とは別の色で電話番号を表示する、電話番号は表示せずに着信があったことのみを記録する、など）。なお、第２の実施の形態にも携帯電話機の機能ブロックは図１のものと同様であるので、その図示は省略する。
【００５４】
図４は本発明の第２の実施の形態である携帯電話機の着信履歴の記憶に関する処理フローチャートである。同図に示すように、他者からの着信があると着信選別履歴機能がＯＮに設定されているか否か確認する（Ｓ４００）。その結果、着信選別履歴機能がＯＦＦに設定されていれば処理を終了し、従来通りの着信履歴機能による着信時の処理を開始する。Ｓ４００の結果、着信選別履歴機能がＯＮに設定されていれば着信報知回数のカウントを開始し（Ｓ４０１）、応答の有無を監視する（Ｓ４０３）。この監視の間、着信の呼設定情報に含まれている発信者番号をＬＣＤ１１５に表示している。Ｓ４０３の結果、応答が確認された場合には従来と同様に着信履歴に記憶する（Ｓ４０７）。
【００５５】
応答を確認しない場合には、着信報知が終了か継続かを監視する（Ｓ４０５）。着信報知が継続している間は、Ｓ４０３とＳ４０５の処理を繰り返す。
【００５６】
無応答のまま着信が終了した場合、着信報知回数のカウントを終了する（Ｓ４０９）。次に、終了までの着信報知回数と設定回数（着信履歴記録対象とする最低回数）とを比較し（Ｓ４１１）、設定回数以内であった場合には受信した発信者番号が端末内の電話帳に記憶されているか否かを確認する（Ｓ４１３）。その結果、電話帳に記憶されていなかった場合には不審な着信であるので、着信報知回数が少なかったことを示す所定の識別情報と共に発信者番号を「不審な着信」として着信履歴の専用エリアに記憶し、ＬＣＤ１１５に「不審な着信」を記憶した旨の警告表示をする（Ｓ４１７）。発信者番号が端末内の電話帳に記憶されている場合は、不在時に着信があったことを示す所定の識別情報と共に発信者番号を「不在着信」として着信履歴の専用エリアに記憶する（Ｓ４１５）。
【００５７】
そして、その後、ユーザーが着信履歴のＬＣＤ１１５への表示機能を実行した際に、着信報知回数が少なかった「不審な着信」の記憶について通常の着信（応答した着信）及び「不在着信」とは異なる着信履歴表示を行う（例えば、別の色で電話番号を表示、または着信があったことのみを表示して電話番号を表示しない、など）ようにしてもよい。
【００５８】
図５は本発明の第２の実施の形態である携帯電話機の発信時の処理フローチャートである。着信履歴の表示機能が実行されＬＣＤ１１５に表示された着信履歴に対し「発信キー」を１回押すことによる発信操作が行われると（Ｓ５０１）、ユーザーが選択したその着信履歴の電話番号が前記の「不審な着信」であるかどうかを示す所定の識別情報の有無に基づいて判断する（Ｓ５０３）。その結果、「不審な着信」でなかった場合には発信を開始して（Ｓ５０９）、処理を終了する。なお、この端末は、デフォルト設定として「番号通知許可」及び「番号非通知」のうち「番号通知許可」に設定されており、Ｓ５０９での発信の場合は、呼設定に「番号通知許可」情報が設定された発信がされるので、発信相手にはユーザーの電話番号が通知される。
【００５９】
Ｓ５０３の結果、「不審な着信」であった場合には、発信の前にユーザーに対して「この着信は設定回数以内に切断されました。発信しますか？」などの警告メッセージをＬＣＤ１１５に表示する（Ｓ５０５）。続いて、ＬＣＤ１１５に「１８４発信」「発信しない」といった選択肢を表示し、ユーザーは当該表示にしたがってキー操作により選択する（Ｓ５０７）。
【００６０】
Ｓ５０７で「１８４発信」が選択された場合には１８４発信（番号非通知発信）を行って（Ｓ５１１）、処理を終了する。したがって、「１８４」発信が選択された場合は、呼設定に「番号非通知」情報を設定して発信がされるので、発信相手端末にはユーザーの電話番号が通知されない。
【００６１】
一方、Ｓ５０７で「発信しない」が選択された場合には、続けて当該着信履歴を消去するか否かの選択肢を表示する（Ｓ５１３）。その結果、「消去する」が選択された場合には当該着信履歴を消去する（Ｓ５１５）。「消去しない」が選択された場合にはそのまま処理を終了する。
【００６２】
以上、本発明の第１及び第２の実施の形態を詳細に説明したが、本発明はこれに限定されない。例えば、上記設定時間及び設定回数をユーザーが任意に設定変更できるように構成することが望ましい。
【００６３】
また、上述の実施の形態では発信者番号が電話帳に記憶されているか否かを検索し確認（Ｓ２１３及びＳ４１３）したが、設定時間（または設定回数）以内に無応答のまま着信が終了したら、それに続いて「不審な着信」として発信者番号を着信履歴に記憶するようにしてもよい。この場合、図２のＳ２１３及び図４のＳ４１３の処理は実行しない。
【００６４】
また、上述の実施の形態では「不審な着信」については着信履歴の専用エリアに少なくとも所定の識別情報と共に発信者番号を記憶するようにしているが、発信履歴に「不審な着信」のみの専用の登録エリアを設ける場合には所定の識別情報の記憶は省略してもよい。
【００６５】
また、上述の実施の形態では表示した着信履歴の電話番号に対し発信操作がされると、発信前にその電話番号が「不審な着信」である場合には警告メッセージを表示及び「１８４発信」「発信しない」といった選択肢を表示してユーザーに選択させるが、この発信前の警告メッセージ表示及び選択肢表示と選択の処理を省略することも可能である。これら処理を省略する場合、図３のＳ３０５、Ｓ３０７、Ｓ３１３、Ｓ３１５及び図５のＳ５０５、Ｓ５０７、Ｓ５１３、Ｓ５１５の処理は実行しない。なお、この発信前の警告メッセージ表示及び選択肢表示と選択の処理を実行するか省略するかの設定は、ユーザーが操作して任意に設定できるようにすることが望ましい。
【００６６】
また、上述の実施の形態では、発信前の警告メッセージと共に表示される選択肢は「１８４発信」「発信しない」の二者択一であるが、ユーザーの設定により「１８６発信」を選択肢に加えられるようにしてもよい。「１８６発信」（番号通知許可発信）を選択肢に加える設定がされると、図３のＳ３０７及び図５のＳ５０７で「１８６発信」「１８４発信」「発信しない」の選択肢が表示される。そして、「１８６発信」が選択されると図３の場合にはＳ３０９に、図５の場合にはＳ５０９に進み、呼設定に「番号通知許可」情報を設定した発信が実行されることになる。
【００６７】
また、着信選別履歴機能のＯＮ／ＯＦＦ切替えもユーザーが操作により任意に設定できるよう構成することが望ましい。
【００６８】
さらに、上述の実施の形態では選択された着信履歴が「不審な着信」であった場合の警告メッセージをＬＣＤに表示して視覚的な通知を行ったが、警告メッセージをスピーカから音声出力する等して聴覚的な通知を行うことも可能である。この場合、これら視覚的及び聴覚的通知を併用してもよいし、一方だけ使用するようにしてもよい。
【００６９】
また、上述の実施の形態では、「１８４発信」が選択された場合の発信者番号非通知の設定態様が呼設定に「番号非通知」情報を設定して発信する携帯端末の例であったが、本発明の携帯端末はこれに限定されるものではなく、発信者番号非通知の設定態様が電話番号の先頭に「１８４」を付加して発信するものであってもよい。同様に、「１８６発信」が選択された場合の発信者番号許可通知の設定態様は上述の実施の形態のように呼設定に「番号通知許可」情報を設定して発信する携帯端末であってもよいし、電話番号の先頭に「１８６」を付加して発信する携帯端末であってもよい。
【００７０】
また、上述の実施の形態では、着信報知時間または着信報知回数が設定以内の着信であっても電話帳を検索し、発信者番号と一致する電話番号が電話帳に登録されている場合には「不審な着信」として記憶しないようになっている。本発明の場合、電話帳のみを検索することに限定されるものではなく、例えば短縮ダイヤル用の短縮番号メモリを検索するものであってもよい。したがって、電話帳及び／又は短縮番号メモリ（これらを総称して「電話番号登録メモリ」と称する）を検索し、登録されている電話番号と着信の発信者番号とが一致する場合には「不審な着信」として記憶しないようにすることが望ましい。
【００７１】
なお、「不審な着信」として記憶する対象となる着信は、発信者番号が通知されてくるものであるから、着信時に発信者番号通知の有無を検出し、発信者番号が通知されていない着信については図２及び図４の着信処理のフローチャートの処理を実行しないことが望ましい。発信者番号が通知されない場合は、例えば、公衆電話からの着信などがある。その他にも、通話中に割り込みがされる割り込み着信及びデータ通信中（回線交換）等の非電話中の着信など、特殊な着信については図２及び図４の着信処理のフローチャートの処理を実行しないように設定してもよい。
【００７２】
また、上述の実施の形態では、応答しなかった着信について着信報知時間や着信報知回数に基づいて、さらには電話帳等の電話番号登録メモリとの一致不一致に基づいて「不審な着信」として記憶するが、本発明はそれに限定されるものではない。すなわち、応答しなかった着信については着信の発信者番号と共に「着信報知時間」または「着信報知回数」を記憶しておき、発信操作がされた時に、電話番号登録メモリの登録内容との一致不一致を判定し、不一致の場合に「着信報知時間」または「着信報知回数」が設定の時間や回数以内の場合に「１８４発信」を自動的に行うようにすることでも同様の結果を得られる。このような携帯電話機の例を、第３の実施の形態として図６及び図７のフローチャートに基づいて説明する。なお、第３の実施の形態にも携帯電話機の機能ブロックは図１のものと同様であるので、その図示は省略する。
【００７３】
＜第３の実施の形態＞
図６は、本発明の第３の実施の形態である携帯電話機の着信履歴の記憶に関する処理フローチャートである。本実施の形態では、発信者番号の通知がされている着信がある（Ｓ６００）と、電話帳を検索し発信者番号と一致する電話番号がある場合は通常の着信であると判断し着信履歴に発信者番号を記憶する通常時処理（Ｓ６０３）を実行し、この処理フローチャートを終了する。なお、この通常時処理（Ｓ６０３）では、着信に対する応答の有無を監視し、着信に応答がされないまま着信が終了した場合には、「電話帳に登録されている番号からの不在着信」を示す情報と共に発信者番号が着信履歴に記憶される処理を含むものである。着信に対し応答があれば、この処理フローチャートを終了し、通話状態となる。
【００７４】
Ｓ６０１で、電話帳に発信者番号と一致する電話番号が登録されていない場合には、呼制御及び主制御部のソフトウエアタイマをリセットし、起動して着信報知時間の計測を開始する（Ｓ６０５）。続いて、着信に対する応答の有無を監視（Ｓ６０７）し、応答が有るとタイマを停止（Ｓ６０９）して発信者番号を着信履歴に記憶（Ｓ６１１）し、この処理を終了し、通話状態となる。一方、応答がされないまま着信が終了した場合、Ｓ６１３に進みタイマを停止する。そして、発信者番号を「電話帳に登録されていない番号からの不在着信」を示す所定の識別情報と共に着信履歴に記憶（Ｓ６１５）し、さらに上述のタイマで計測した「着信報知時間」も発信者番号と共に着信履歴に記憶する。
【００７５】
図７は、本発明の第３の実施の形態である携帯電話機の発信時のフローチャートである。着信履歴の表示機能が実行されるとＬＣＤ１１５に着信履歴が表示される。図６の着信の処理フローチャートにて記憶した、発信者番号が記憶した順番に順次表示され、その表示においては記憶されている所定の識別情報に基づきその発信者番号の「電話帳に登録されていない番号からの不在着信」等の種別が識別可能に表示される。種別が「電話帳に登録されていない番号からの不在着信」である場合には、ユーザーに警告となるようの着信履歴表示（例えば、通常とは異なる色で表示する）をＬＣＤ１１５に行ったり、警告音をスピーカから報知する。表示された着信履歴に対し「発信キー」を１回押すことによる発信操作が行われると（Ｓ７００）、呼制御及び主制御部１１１はユーザーが発信操作したその着信履歴の電話番号が「電話帳に登録されていない番号からの不在着信」である旨を示す所定の識別情報が記憶されているか否かを判別する（Ｓ７０１）。「電話帳に登録されていない番号からの不在着信」である旨を示す情報が記憶されていない場合には、後述するユーザー設定処理（Ｓ７０３）が行われ、発信が実行（Ｓ７０５）される。
【００７６】
Ｓ７０１で「電話帳に登録されていない番号からの不在着信」であることを示す所定の識別情報が記憶されていることを判別した場合には、組み合わせて記憶されている「着信報知時間」と設定時間とを比較し、設定時間を超えているか否かの判定がされる（Ｓ７０７）。設定時間を超えている（すなわち、設定時間以内でない）場合には、ユーザー設定処理（Ｓ７０３）に進み、発信が実行（Ｓ７０７）される。設定時間を超えていない（すなわち設定時間以内である）場合には、発信者番号の「１８４発信」を設定（Ｓ７１１）し、呼設定には「番号非通知」情報が設定されて発信が実行（Ｓ７０５）される。すなわち、本実施の形態においては、電話帳に登録がされていない着信について、着信履歴には発信者番号に「電話帳に登録されていない番号からの不在着信」である旨の情報と「着信報知時間」とを記憶しておき、着信履歴を用いた発信操作がされると、着信報知時間が設定時間以内である「電話帳に登録されていない番号からの不在着信」を「不審な着信」であると判定して、発信者番号を非通知に設定して発信を行うものである。
【００７７】
なお、上述のＳ７０３のユーザー設定処理とは、ユーザーが通常の発信のために「１８４発信」または「１８６発信」のいずれかを操作により選択しており、Ｓ７０３ではこの選択にしたがって設定がされる。すなわち「１８４発信」が選択されている場合には、呼設定には「番号非通知」情報が設定される。「１８６発信」が選択されている場合には、呼設定には「番号通知許可」情報が設定される。
【００７８】
なお、上述の第３の実施の形態においては、着信報知時間を計測する例であるが、これに代えて呼制御及び主制御部１１１が着信報知回数をカウントし、着信履歴には発信者番号と共に着信報知回数を記憶するようにしてもよい。したがって、そのよう場合、着信履歴を用いた発信操作において、Ｓ７０７の判定では着信報知回数が設定回数を越えているか否かを判定するものとなる。設定回数を超えている（すなわち設定回数以内でない）場合にはＳ７０３に進んでユーザー設定に従い、発信（Ｓ７０５）される。設定回数を越えていない（すなわち設定回数以内である）場合にはＳ７０９に進み「１８４発信」の設定が行われ、発信（Ｓ７０５）される。
【００７９】
また、上述の第３の実施の形態では、発信者番号が電話帳に登録されている番号と一致するか否かを比較判定しているが、この判定は電話帳についてのみ行うものに限定されることはない。本発明の場合、検索する記憶は電話帳に限定されるものではなく、例えば短縮ダイヤル用の短縮番号メモリであってもよい。したがって、電話帳及び／又は短縮番号メモリ（これらを総称して「電話番号登録メモリ」と称する）を検索することが望ましい。
【００８０】
また、上述の第３の実施の形態では、「１８４発信」が選択された場合の発信者番号非通知の設定態様が呼設定に「番号非通知」情報を設定して発信する携帯端末の例であったが、本発明の携帯端末はこれに限定されるものではなく、発信者番号非通知の設定態様が電話番号の先頭に「１８４」を付加して発信するものであってもよい。同様に、「１８６発信」が選択された場合の発信者番号許可通知の設定態様は上述の実施の形態のように呼設定に「番号通知許可」情報を設定して発信する携帯端末であってもよいし、電話番号の先頭に「１８６」を付加して発信する携帯端末であってもよい。
【００８１】
なお、上述の第３の実施の形態では、「電話帳に登録されていない番号からの不在着信」を示す所定の識別情報を記憶するようにしているが、本発明はこれに限定されるものではなく、「電話帳に登録されていない番号からの不在着信」については、所定の識別情報の記憶を省略して、発信履歴に少なくとも発信者番号と共に着信報知時間または着信報知回数を記憶するものとしてもよい。そのような場合には、記憶された着信報知時間または着信報知回数の記憶の有無に基づいて「電話帳に登録されていない番号からの不在着信」であるか否かを識別するものとする。また、着信履歴に「電話帳に登録されていない番号からの不在着信」のみの専用の登録エリアを設けるようにして、上述の所定の識別情報の記憶を省略するようにしてもよい。
【００８２】
また、上述の第３の実施の形態では、「１８４発信」が設定（Ｓ７０９）されると、そのまま発信（Ｓ７０５）を実行するが、本発明はこれに限定されるものではない。例えば、上述の第１の実施の形態（図３のＳ３０５、Ｓ３０７、Ｓ３１３、Ｓ３１５）及び第２の実施の形態（図５のＳ５０５、Ｓ５０７、Ｓ５１３、Ｓ５１５）と同様にして、図７の処理中に、Ｓ７０９の間にユーザーに対して警告メッセージをＬＣＤ１１５に表示する処理ステップと、発信するかどうかの選択肢を選択させる処理ステップを行うことが望ましい。
【００８３】
以上の通り、本発明の第１、第２、第３の実施の形態を説明したが、本発明は上述のものに限定されるものではない。
【００８４】
【発明の効果】本発明の電話端末によれば、有料ダイヤル等の着信履歴の「不審な着信」に対して発信操作すると、発信者番号を非通知に設定した発信がされるので、発信相手にユーザーの電話番号が通知されることがなく、「不審な着信」であると知らずに発信したユーザーに法外な料金を請求されるといったことを防止できる。
【図面の簡単な説明】
【図１】本発明の一実施形態である携帯電話機の機能ブロック図。
【図２】本発明の第１の実施の形態である携帯電話機の着信履歴の記憶に関する処理フローチャート。
【図３】本発明の第１の実施の形態である携帯電話機の発信時のフローチャート。
【図４】本発明の第２の実施の形態である携帯電話機の着信履歴の記憶に関する処理フローチャート。
【図５】本発明の第２の実施の形態である携帯電話機の発信時のフローチャート。
【図６】本発明の第３の実施の形態である携帯電話機の着信履歴の記憶に関する処理フローチャート。
【図７】本発明の第３の実施の形態である携帯電話機の発信時のフローチャート。
【符号の説明】
１１１  呼制御及び主制御部
１１３  メモリ
１１５  ＬＣＤ
１１７  キー操作部
【図１】
2004297463.tif 000003
【図２】
2004297463.tif 000004
【図３】
2004297463.tif 000005
【図４】
2004297463.tif 000006
【図５】
2004297463.tif 000007
【図６】
2004297463.tif 000008
【図７】
2004297463.tif 000009